【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
コンピュータにより実行される方法であって、
ユーザからホスト・サーバ上で運営されているオンライン・サービスの１つまたは複数のサービス種目へのアクセスを許可するよう求める要求をオンライン・サービス・プロバイダが受信するステップと、
当該ユーザに関連する所在地表示を取得するステップと、
当該ユーザから前記要求を受信したのに応じて、当該ユーザへ、前記所在地表示に関連した１つまたは複数の画像と、前記所在地表示に関連しない１つまたは複数の画像とを組合せた画像を送信するステップであって、前記要求は、当該ユーザが、前記組合せた画像のうちから前記所在地表示に関連した１つまたは複数の画像を選択すること、または、前記組合せた画像のうちから前記所在地表示に関連しない１つまたは複数の画像を選択することである、前記送信ステップと、
前記オンライン・サービス・プロバイダが当該ユーザから選択結果を受信するステップと、
前記選択結果が当該ユーザへの前記要求に正しく対応していた場合に、前記１つまたは複数のサービス種目へのアクセスを当該ユーザに許可するステップと、
を含むことを特徴とする、前記方法。
【請求項２】
前記所在地表示は、当該ユーザから提供された街路番地と、当該ユーザから提供された郵便番号と、当該ユーザから提供された市名及び州名と、当該ユーザから提供された国名と、当該ユーザから提供された電話番号と、前記要求に関連したインターネット・プロトコル・アドレスとから成る部類中から選択された所在地表示であることを特徴とする請求項１記載のコンピュータにより実行される方法。
【請求項３】
前記組合せた画像の送信に際して、前記オンライン・サービス・プロバイダが、当該ユーザからのグラフィカル・ユーザ・インターフェースに表示させることのできる組合せた画像を提供することを特徴とする請求項１記載のコンピュータにより実行される方法。
【請求項４】
前記組合せた画像の送信に際して、前記所在地表示に関連したランドマークの１つまたは複数の画像と、前記所在地表示に関連しないランドマークの１つまたは複数の画像とを組合せた１つまたは複数の画像を提供することを特徴とする請求項１記載のコンピュータにより実行される方法。
【請求項５】
前記組合せた画像の送信に際して、前記所在地表示に関連した有名人の１つまたは複数の画像と、前記所在地表示に関連しない人々の１つまたは複数の画像とを組合せた１つまたは複数の画像を提供することを特徴とする請求項１記載のコンピュータにより実行される方法。
【請求項６】
前記組合せた画像の送信に際して、前記所在地表示に関連した消費者製品の１つまたは複数の画像と、前記所在地表示に関連しない消費者製品の１つまたは複数の画像とを組合せた１つまたは複数の画像を提供することを特徴とする請求項１記載のコンピュータにより実行される方法。
【請求項７】
前記組合せた画像の送信に際して、前記所在地表示に関連した１つまたは複数のビデオ画像と、前記所在地表示に関連しない１つまたは複数のビデオ画像とを組合せた１つまたは複数の画像を提供することを特徴とする請求項１記載のコンピュータにより実行される方法。
【請求項８】
前記オンライン・サービスの利用状況を前記オンライン・サービス・プロバイダがモニタするステップと、
当該ユーザの１つまたは複数のアクションに基づいて前記オンライン・サービスの利用状況の変化を判別し、当該利用状況の変化の判別結果に応じて、当該ユーザに前記組合せた画像の送信及び前記要求を実行するステップと、
を更に含むことを特徴とする請求項１記載のコンピュータにより実行される方法。
【請求項９】
コンピュータにより実行される方法であって、
ホスト・サーバ上で運営されているオンライン・サービスの１つまたは複数のサービス種目へのアクセスを許可するよう求めるアクセス要求と、個人のアイデンティティ表示とを、オンライン・サービス・プロバイダがユーザから受信するステップと、
当該ユーザから前記要求を受信したのに応じて、当該ユーザへ、１つまたは複数の画像を送信するステップであって、前記１つまたは複数の画像は、前記個人に関連した１つまたは複数の画像と、前記個人に関連しない１つまたは複数の画像とを組合せた画像であり、前記個人に関連した１つまたは複数の画像は、前記個人に対応したオンライン・ユーザ・アイデンティティ・プロファイルに基づいて取得される画像であり、前記要求は、当該ユーザが、前記組合せた画像のうちから前記個人に関連した１つまたは複数の画像を選択すること、または、前記組合せた画像のうちから前記個人に関連しない画像を選択することである、前記送信ステップと、
前記オンライン・サービス・プロバイダが当該ユーザから選択結果を受信するステップと、
前記選択結果が当該ユーザへの前記要求に正しく対応していた場合に、前記１つまたは複数のサービス種目へのアクセスを当該ユーザに許可するステップと、
を含むことを特徴とする、前記方法。
【請求項１０】
前記個人のアイデンティティは、前記個人に関連する所在地表示を含むユーザ・プロファイルに対応しており、
前記組合せた画像の送信の際に、前記所在地表示に関連した１つまたは複数の画像と、前記所在地表示に関連しない１つまたは複数の画像とを組合せた１つまたは複数の画像を提供することを特徴とする請求項９記載の方法。
【請求項１１】
複数の命令が記録されて格納されている固定コンピュータ読取り可能媒体であって、
前記複数の命令は、それら命令がコンピュータ・デバイスにより実行されるときに、当該コンピュータ・デバイスが、
オンライン・サービスの１つまたは複数のサービス種目へのアクセスを許可するよう求める要求をユーザから受信するアクションと、
当該ユーザに関連する所在地表示を取得するアクションと、
当該ユーザから前記要求を受信したのに応じて、当該ユーザへ、１つまたは複数の画像を送信するアクションであって、前記１つまたは複数の画像は、前記所在地表示に関連した１つまたは複数の画像と、前記所在地表示に関連しない１つまたは複数の画像とを組合せた画像であり、前記要求は、当該ユーザが、前記組合せた画像のうちから前記所在地表示に関連した１つまたは複数の画像を選択すること、または、前記組合せた画像のうちから前記所在地表示に関連しない１つまたは複数の画像を選択することである、前記送信アクションと、
当該ユーザから選択結果を受信するアクションと、
前記選択結果が当該ユーザへの前記要求に正しく対応していた場合に、前記１つまたは複数のサービス種目へのアクセスを当該ユーザに許可するアクションと、
を実行するようにするところの命令であることを特徴とする、前記固定コンピュータ読取り可能媒体。
【請求項１２】
前記組合せた画像の送信に際して、前記所在地表示に関連した１つまたは複数のビデオ画像と、前記所在地表示に関連しない１つまたは複数のビデオ画像とを組合せた１つまたは複数の画像を提供することを特徴とする請求項１１記載の固定コンピュータ読取り可能媒体。
【請求項１３】
前記複数の命令は、それら命令が実行されるときに、更に、
前記オンライン・サービスの利用状況をモニタすることと、
当該ユーザの１つまたは複数のアクションに基づいて前記オンライン・サービスの利用状況の変化を判別し、当該利用状況の変化の判別結果に応じて、前記組合せた画像の送信及び前記要求を実行することと、
が行われるようにするところの命令であることを特徴とする請求項１１記載の固定コンピュータ読取り可能媒体。
【請求項１４】
オンライン・サービス・プロバイダ・システムであって、
プロセッサと、
前記プロセッサに作用的に結合され、複数の命令が格納されているプログラム格納メモ
リとを備え、
前記複数の命令は、それら命令が前記プロセッサにより実行されるときに、
オンライン・サービスの１つまたは複数のサービス種目へのアクセスを許可するよう求めるアクセス要求と、個人のアイデンティティの表示とを、ユーザから受信するステップが実行され、
当該ユーザから前記要求を受信したのに応じて、当該ユーザへ、１つまたは複数の画像を送信するステップであって、前記１つまたは複数の画像は、前記個人に関連した１つまたは複数の画像と、前記個人に関連しない１つまたは複数の画像とを組合せた画像であり、前記１つまたは複数の画像は、前記個人に対応したオンライン・ユーザ・アイデンティティ・プロファイルに基づいて取得される画像であり、前記要求は、当該ユーザが、前記組合せた画像のうちから前記個人に関連した１つまたは複数の画像を選択すること、または、前記組合せた画像のうちから前記個人に関連しない１つまたは複数の画像を選択することである、前記送信ステップが実行され、
当該ユーザから選択結果を受信するステップが実行され、更に、
前記選択結果が当該ユーザへの前記要求に正しく対応していた場合に、前記１つまたは複数のサービス種目へのアクセスを当該ユーザに許可するステップが実行される、
ようにするところの命令であることを特徴とする、前記オンライン・サービス・プロバイダ・
システム。
【請求項１５】
前記複数の命令は、それら命令が前記プロセッサにより実行されるときに、
前記オンライン・サービスの利用状況をモニタするステップと、
当該ユーザの１つまたは複数のアクションに基づいて前記オンライン・サービスの利用状況の変化を判別し、当該利用状況の変化の判別結果に応じて、当該ユーザに前記組合せた画像の送信及び前記要求を実行するステップと、
が更に実行されるようにするところの命令であることを特徴とする請求項１４記載のシステム。